(57)【要約】【課題】従来の再帰反射シートは、宇宙空間から到来する太陽光のような、特定の方向から入射する入射光のみを対象として再帰反射性を発揮することができなかった。【解決手段】流体を出入できる流体層と、平面に沿って配列された集光レンズアレイと、集光レンズアレイの各々の集光レンズに対応して、集光レンズのレンズ面曲率中心とは異なる位置にそれぞれ中心を有する球面反射鏡を含む球面反射鏡アレイとを備え、対応する集光レンズと球面反射鏡の光軸に沿った特定の方向から入射する入射光は、流体層に流体を充填したとき、または、流体層から流体を抜出したときに、流体層および集光レンズアレイを透過して、球面反射鏡アレイで反射されることにより、特定の方向へ再帰反射される。【選択図】図６
2012013801.tif 000002
【特許請求の範囲】
【請求項１】
流体を出入できる流体層と、
平面に沿って配列された集光レンズアレイと、
前記集光レンズアレイの各々の集光レンズに対応して、前記集光レンズのレンズ面曲率中心とは異なる位置にそれぞれ中心を有する球面反射鏡を含む球面反射鏡アレイと
を備え、
対応する前記集光レンズと前記球面反射鏡の光軸に沿った特定の方向から入射する入射光は、前記流体層に前記流体を充填したとき、または、前記流体層から前記流体を抜出したときに、前記流体層および前記集光レンズアレイを透過して、前記球面反射鏡アレイで反射されることにより、前記特定の方向へ再帰反射される再帰反射部材。
【請求項２】
前記流体層は、前記集光レンズアレイと、前記集光レンズアレイの入射側に離間して設けられた透明板の間に形成される請求項１に記載の再帰反射部材。
【請求項３】
前記流体層は、前記集光レンズアレイと、前記球面反射鏡アレイの間に形成される請求項１に記載の再帰反射部材。
【請求項４】
前記球面反射鏡の中心は、前記流体層に前記流体を充填したとき、または、前記流体層から前記流体を抜出したときの、対応する前記集光レンズの焦点面上に配置される請求項１から３のいずれか１項に記載の再帰反射部材。
【請求項５】
前記球面反射鏡は、球面の凸面側に鏡面を備える請求項４に記載の再帰反射部材。
【請求項６】
前記球面反射鏡の鏡面は、前記流体層に前記流体を充填したとき、または、前記流体層から前記流体を抜出したときの、対応する前記集光レンズの焦点面上に配置される請求項１から３のいずれか１項に記載の再帰反射部材。
【請求項７】
流体を出入できる流体層と、
板状のベース部材の両面にそれぞれ対で設けられる入射側レンズと射出側レンズとを有する集光レンズを配列してなる集光レンズアレイと、
前記集光レンズの各々に対応して、前記集光レンズの光軸に沿った特定の方向から入射する入射光の、前記流体層に前記流体を充填したとき、または、前記流体層から前記流体を抜出したときの焦点面をそれぞれ鏡面とする凹面反射鏡を有する凹面反射鏡アレイと
を備え、
前記特定の方向から入射される入射光は、前記流体層および前記集光レンズアレイを透過して、前記凹面反射鏡アレイで反射されることにより、前記特定の方向へ再帰反射される再帰反射部材。
【請求項８】
前記流体層は、前記入射側レンズと、前記入射側レンズの入射側に離間して設けられた透明板の間に形成される請求項７に記載の再帰反射部材。
【請求項９】
前記流体層は、前記射出側レンズと、前記凹面反射鏡の間に形成される請求項７に記載の再帰反射部材。
【請求項１０】
流体を出入できる流体層と、
平面に沿って配列されたシリンドリカルレンズアレイと、
前記シリンドリカルレンズアレイの各々のシリンドリカルレンズに対応して、前記シリンドリカルレンズの曲率中心軸と平行であって一致しない中心軸を有する円筒反射鏡面を含む円筒反射鏡面アレイと
を備え、
対応する前記シリンドリカルレンズと前記円筒反射鏡の光軸に沿った特定の方向から入射する入射光は、前記流体層に前記流体を充填したとき、または、前記流体層から前記流体を抜出したときに、前記流体層および前記シリンドリカルレンズアレイを透過して、前記円筒反射鏡面アレイで反射されることにより、前記特定の方向へ再帰反射される再帰反射部材。
【請求項１１】
前記流体層は、前記シリンドリカルレンズアレイと、前記シリンドリカルレンズアレイの入射側に離間して設けられた透明板の間に形成される請求項１０に記載の再帰反射部材。
【請求項１２】
前記流体層は、前記シリンドリカルレンズアレイと、前記円筒反射鏡面アレイの間に形成される請求項１０に記載の再帰反射部材。
【請求項１３】
前記円筒反射鏡面の中心軸は、前記流体層に前記流体を充填したとき、または、前記流体層から前記流体を抜出したときの、対応する前記シリンドリカルレンズの焦点面上に配置される請求項１０から１２のいずれか１項に記載の再帰反射部材。
【請求項１４】
前記円筒反射鏡面は、円筒の凸面側に鏡面を備える請求項１３に記載の再帰反射部材。
【請求項１５】
前記円筒反射鏡面は、前記流体層に前記流体を充填したとき、または、前記流体層から前記流体を抜出したときの、対応する前記シリンドリカルレンズの焦点面上に配置される請求項１０から１２のいずれか１項に記載の再帰反射部材。
【請求項１６】
流体を出入できる流体層と、
板状のベース部材の表裏の平面にそれぞれの曲率中心軸が平行であって一致しないように対で設けられる入射側シリンドリカルレンズと射出側シリンドリカルレンズとを有する集光レンズを配列してなる集光レンズアレイと、
前記集光レンズの各々に対応して、前記集光レンズの光軸に沿った特定の方向から入射する入射光の、前記流体層に前記流体を充填したとき、または、前記流体層から前記流体を抜出したときの焦点面をそれぞれ鏡面とする円筒反射鏡面を有する円筒反射鏡面アレイと
を備え、
前記特定の方向から入射される入射光は、前記流体層および前記集光レンズアレイを透過して、前記円筒反射鏡面アレイで反射されることにより、前記特定の方向へ再帰反射される再帰反射部材。
【請求項１７】
前記流体層は、前記入射側シリンドリカルレンズと、前記入射側シリンドリカルレンズの入射側に離間して設けられた透明板の間に形成される請求項１６に記載の再帰反射部材。
【請求項１８】
前記流体層は、前記射出側シリンドリカルレンズと、前記円筒反射鏡面の間に形成される請求項１６に記載の再帰反射部材。
【請求項１９】
前記流体層に前記流体を出入させる配管と、
他の再帰反射部材の前記配管と接続させる接続部と
を備える請求項１から１８のいずれか１項に記載の再帰反射部材。
【請求項２０】
前記流体層に前記流体を出入させるポンプと、
前記ポンプを制御することにより、前記入射光を前記特定の方向へ再帰反射させる再帰反射状態と、前記入射光を再帰反射させない非再帰反射状態に切替える制御部と
を備える請求項１から１９のいずれか１項に記載の再帰反射部材。
【請求項２１】
少なくとも一つの反射面群によって構成される光学素子群を含む少なくとも２つの光学素子群を有して特定の角度から入射する光を再帰反射可能な光学部材と、
該光学部材の再帰反射光路中に設けられた流体が注入可能な流体層と、
該流体層に流体を注入または排出することにより再帰反射状態と非再帰反射状態とを切り替える切替手段と
を有することを特徴とする再帰反射装置。
【発明の詳細な説明】
【技術分野】
【０００１】
本発明は、再帰反射部材に関する。
【背景技術】
【０００２】
従来、コーナーキューブ、ビーズ等を平面的に配列して、入射する光線を入射方向へ反射させる再帰反射シートが知られている。再帰反射シートは、例えば道路標識などの保安用品に活用されている。一方、再帰反射部材をビルの壁材に用い、太陽光線を地面方向へ反射させることなく入射方向へ反射することにより、地球の温暖化を防ぐ提案もなされている（例えば特許文献１）。
［先行技術文献］
［特許文献］
［特許文献１］特開２００６−３１７６４８号公報
【発明の概要】
【発明が解決しようとする課題】
【０００３】
しかし、従来の再帰反射シートは、さまざまな方向から入射する入射光をその方向へ反射するので、例えばビルの壁材として用いた場合、照り返しなど地面方向からビルの壁面へ入射する光を再び地面方向へ反射してしまい、かえって地表温度を上昇させてしまう。すなわち、従来の再帰反射シートは、宇宙空間から到来する太陽光のような、特定の方向から入射する入射光のみを対象として再帰反射性を発揮することができなかった。
【０００４】
一方で、例えば日差しが弱く日照時間も少ない冬の間は、太陽光を再帰反射させることなく、そのまま壁材を温めたほうがかえってビル全体の消費熱エネルギーを削減できる。
【課題を解決するための手段】
【０００５】
上記課題を解決するために、本発明の第１の態様における再帰反射部材は、流体を出入できる流体層と、平面に沿って配列された集光レンズアレイと、集光レンズアレイの各々の集光レンズに対応して、集光レンズのレンズ面曲率中心とは異なる位置にそれぞれ中心を有する球面反射鏡を含む球面反射鏡アレイとを備え、対応する集光レンズと球面反射鏡の光軸に沿った特定の方向から入射する入射光は、流体層に流体を充填したとき、または、流体層から流体を抜出したときに、流体層および集光レンズアレイを透過して、球面反射鏡アレイで反射されることにより、特定の方向へ再帰反射される。
【０００６】
また、上記課題を解決するために、本発明の第２の態様における再帰反射部材は、流体を出入できる流体層と、板状のベース部材の両面にそれぞれ対で設けられる入射側レンズと射出側レンズとを有する集光レンズを配列してなる集光レンズアレイと、集光レンズの各々に対応して、集光レンズの光軸に沿った特定の方向から入射する入射光の、流体層に流体を充填したとき、または、流体層から流体を抜出したときの焦点面をそれぞれ鏡面とする凹面反射鏡を有する凹面反射鏡アレイとを備え、特定の方向から入射される入射光は、流体層および集光レンズアレイを透過して、凹面反射鏡アレイで反射されることにより、特定の方向へ再帰反射される。
【０００７】
また、上記課題を解決するために、本発明の第３の態様における再帰反射部材は、流体を出入できる流体層と、平面に沿って配列されたシリンドリカルレンズアレイと、シリンドリカルレンズアレイの各々のシリンドリカルレンズに対応して、シリンドリカルレンズの曲率中心軸と平行であって一致しない中心軸を有する円筒反射鏡面を含む円筒反射鏡面アレイとを備え、対応するシリンドリカルレンズと円筒反射鏡の光軸に沿った特定の方向から入射する入射光は、流体層に流体を充填したとき、または、流体層から流体を抜出したときに、流体層およびシリンドリカルレンズアレイを透過して、円筒反射鏡面アレイで反射されることにより、特定の方向へ再帰反射される。
【０００８】
また、上記課題を解決するために、本発明の第４の態様における再帰反射部材は、流体を出入できる流体層と、板状のベース部材の表裏の平面にそれぞれの曲率中心軸が平行であって一致しないように対で設けられる入射側シリンドリカルレンズと射出側シリンドリカルレンズとを有する集光レンズを配列してなる集光レンズアレイと、集光レンズの各々に対応して、集光レンズの光軸に沿った特定の方向から入射する入射光の、流体層に流体を充填したとき、または、流体層から流体を抜出したときの焦点面をそれぞれ鏡面とする円筒反射鏡面を有する円筒反射鏡面アレイとを備え、特定の方向から入射される入射光は、流体層および集光レンズアレイを透過して、円筒反射鏡面アレイで反射されることにより、特定の方向へ再帰反射される。
【０００９】
ここで、上記本発明の第３の態様と第４の態様においては、特定の方向とは、シリンドリカルレンズの母線に垂直な断面において、反射される光線の角度方向であって、この面内で入射光線と同一角度の角度方向であり、この断面内において再帰反射されることになる。
【００１０】
また、上記課題を解決するために、本発明の第５の態様における再帰反射部材は、少なくとも一つの反射面群によって構成される光学素子群を含む少なくとも２つの光学素子群を有して特定の角度から入射する光を再帰反射可能な光学部材と、光学部材の再帰反射光路中に設けられた流体が注入可能な流体層と、流体層に流体を注入または排出することにより再帰反射状態と非再帰反射状態とを切り替える切替手段とを備える。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１】本実施形態に係る再帰反射部材を、ビルの壁面に適用した場合を示す図である。
【図２】本実施形態に係る再帰反射部材が再帰反射性を有しない場合を示す図である。
【図３】本実施形態に係る再帰反射部材が入射光線を再帰反射する方向を示す説明図である。
【図４】再帰反射部材と再帰反射部材に流体を出入するための構成を示す図である。
【図５】円筒面型再帰反射部材の部分的な外観斜視図である。
【図６】球面型再帰反射部材の部分的な外観斜視図である。
【図７】実施例１に係る円筒面型再帰反射部材を、図５における平面Ｑで切断した場合の断面図である。
【図８】実施例１に係る再帰反射部材の流体層から流体が抜出されている場合の、光学的関係を示す説明図である。
【図９】実施例１に係る再帰反射部材の流体層に流体が充填されている場合の、光学的関係を示す説明図である。
【図１０】実施例２に係る再帰反射部材の、光学的関係を示す説明図である。
【図１１】実施例３に係る再帰反射部材の断面図である。
【図１２】実施例３に係る再帰反射部材の、光学的関係を示す説明図である。
【図１３】実施例４に係る再帰反射部材の断面図である。
【図１４】実施例４に係る再帰反射部材の、光学的関係を示す説明図である。
【図１５】実施例５に係る再帰反射部材の断面図である。
【図１６】実施例５に係る再帰反射部材の、光学的関係を示す説明図である。
【図１７】実施例６に係る再帰反射部材の断面図である。
【図１８】実施例７に係る再帰反射部材の断面図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、本実施形態に係る再帰反射部材１０を、ビル２０の壁面に適用した場合を示す図である。再帰反射部材１０は、ビル２０の外壁材の一部として利用される。
【００１５】
本実施形態に係る再帰反射部材１０は、詳しくは後述するが、流体を出入することができる流体層を含む。再帰反射部材１０は、流体層から流体が抜出されているときは、特定の方向から入射する光線についてはその特定の方向に向けて反射し、他の方向から入射する光線については拡散させる性質を備える。つまり流体層から流体が抜出されているときは、特定の方向に対して再帰反射性を発揮し、他の方向に対しては再帰反射性を有さない。再帰反射部材１０をビルの外壁材として利用する目的のひとつは、照射される太陽光を地面方向へ反射させることを防ぐことである。
【００１６】
近時のビルの外壁は、ガラスなどの反射部材で覆われることが多くなってきており、太陽光が反射部材で正反射されることにより、強烈な光と熱が地面方向へ照射されることが社会問題化している。特に、地面に蓄積された熱エネルギーがヒートアイランド現象を引き起こし、さらには地球温暖化の原因のひとつとなっていることは周知の事実である。そこで、本実施形態に係る再帰反射部材１０は、流体層から流体が抜出されたときに、ビルに照射される太陽光を地面方向へ反射させず、宇宙空間の方向へ反射させて太陽光エネルギーを放出させる。
【００１７】
本実施形態に係る再帰反射部材１０は、詳しくは後述するが、球面型再帰反射部材と円筒面型再帰反射部材の２つのタイプがある。例えば再帰反射部材１０が円筒面型であれば再帰反射部材１０に直交する鉛直面内で相対する太陽１３１の太陽光である入射光１０１がビル２０の壁面に敷き詰められた再帰反射部材１０に入射すると、反射光１０２として、入射方向に沿って太陽に向けて反射される。反射された反射光１０２のエネルギーは、一部が大気に吸収されながら、やがて宇宙空間へ放出される。
【００１８】
一方で、地面による太陽光の照り返しもヒートアイランド現象の原因のひとつとなっている。したがって、再帰反射部材１０が入射方向に関わらず入射方向へ入射光を反射させると、地面による照り返しを再び地面方向へ反射させることになり、地面による蓄熱をより加速する結果となる。
【００１９】
そこで、本実施形態に係る再帰反射部材１０は、太陽１３１から地面に照射される入射光１０３の照り返し光１０４が入射した場合は、乱反射させて拡散する性質を有する。つまり再帰反射部材１０は、流体層から流体が抜出された状態において、太陽１３１の太陽光が直接入射する方向からの入射光に対しては再帰反射性を備え、その他の方向から入射する入射光に対しては再帰反射させずに拡散する。
【００２０】
入射する太陽光は、季節、時間によってその方向が変化する。再帰反射部材１０は、後述するように、ある特定の方向から入射する光線を最も効率よく反射するように設定されている。しかしながら、その特定の入射角から若干傾いた入射光線に対しても、再帰反射に準ずる反射性を発揮する。
【００２１】
再帰反射部材１０がビルの外壁面に水平方向に配置された円筒面型であれば、太陽１３１が図示する太陽１３２の位置へ移動した場合、再帰反射部材１０へ直接入射する入射光１０５は、再帰反射部材１０に直交する鉛直面から傾いた角度分だけ正反射し、反射光１０６となって宇宙空間の方向へ放出される。つまり、鉛直面内で再帰反射部材１０の法線に直交する方向の成分については、再帰反射と同様にベクトルを反転させて反射し、鉛直面に直交する水平面内で法線に直交する方向の成分については正反射する。このような円筒面型反射部材による特定の方向成分のみでの再帰反射も広い意味では再帰反射であるが、ここでは準再帰反射と呼ぶ。
【００２２】
再帰反射部材１０が球面型であれば、特定の方向は、再帰反射部材１０に直交する鉛直面内以外の方向にも設定することができる。そして、この特定の入射角に対して円錐形に広がる入射角で入射する光線は、所定の再帰反射率以上の反射率で再帰反射し、また、この特定の入射角に近い入射光線ほど高い再帰反射率が得られる。
【００２３】
図２は、ビル２０の壁面に適用した本実施形態に係る再帰反射部材１０の流体層に流体を充填した場合を示す図である。入射光１０７は、図１に示される入射光１０１と同じ方向から入射する太陽光であるが、再帰反射部材１０は入射光１０７を再帰反射しない。つまり、再帰反射部材１０は、流体層に流体が充填されているときは、特定の方向に対しても再帰反射性を発揮せず、何れの方向から入射する入射光も再帰反射させずに拡散させる。
【００２４】
図３は、本実施形態に係る再帰反射部材１０が入射光線を再帰反射する方向を示す説明図である。再帰反射部材１０は、ビル２０の南側壁面に敷き詰められているが、最も効率よく再帰反射する特定の方向が夏至の南中高度となるように設置されることが好ましい。この場合、所定の再帰反射率の得られる太陽の方角は、夏至の太陽行路１１１と冬至の太陽行路１１２に挟まれた、南方の一定の方角に含まれる実効方角１１０である。つまり、夏至の南中時刻で最も強く再帰反射され、これに準ずる一定の方角に太陽が位置する場合も所定の再帰反射効果を発揮する。なお、ここで言う再帰反射効果とは、図１を用いて説明した準再帰反射による効果を含む。したがって、太陽光を反射して宇宙空間に放出する効果は、広範な入射角に対して得られる。
【００２５】
一方で、ビル内は、快適に過ごすことのできる温度に保たれている場合が多い。冬の間は日差しが弱く日照時間も少ないので、ビル内を快適に過ごすことのできる温度まで温めるべく、電気、ガス等のエネルギーを消費して暖房設備を稼動することが多い。このため、冬の間においては、太陽光のエネルギーを利用してビル内を温めることができると好ましい。つまり冬の間においては、太陽光を再帰反射させることなく、太陽光のエネルギーを利用して壁材を温めることで、ビル全体が消費するエネルギーを削減することができる。したがって、太陽が太陽光路１１３の高度から照射する冬の間は、再帰反射性が発揮されなくてもよい。本実施形態に係る再帰反射部材１０は、冬の間は流体層を流体で充填することにより、特定の方向に対しても再帰反射性を発揮せず、特定の方向から入射する入射光も拡散する。
【００２６】
次に、再帰反射部材１０の流体層に流体を充填させる、または、流体層から流体を抜出するための構成について説明する。図４は、再帰反射部材に流体を出入するための構成を示す図である。図に示されるように、再帰反射部材１０には流体層に流体を入れるための配管１２と流体を出すための配管１４が接続されている。配管１２はポンプ１６を備えている。ポンプ１６は、流体を流体層に充填するとき、または流体層の流体を入れ替えるときに、流体を配管１２と流体層との接続位置まで持ち上げる。ポンプ１６は制御部１８に制御されており、制御部１８は、ポンプ１６を制御することにより、再帰反射部材１０の状態を、入射光を特定の方向へ再帰反射させる再帰反射状態と、入射光を再帰反射させない非再帰反射状態に切替える切替手段として機能する。
【００２７】
具体的には、再帰反射部材１０の流体層に流体を充填するときには、弁２２を閉じて、制御部１８の制御によりポンプ１６を駆動させ、配管１２を介して流体を流体層に入れる。再帰反射部材１０の流体層から流体を抜出するときには、弁２２を開いて配管１４を介して流体層から流体を出す。なお、流体を流体層から抜き出す制御は、重力を利用して、単に弁２２を開放することで実現しても良い。また、ポンプ１６の機能として空気を流体層に流入させる機能を備える、または、ポンプ１６と共にコンプレッサーを併置することにより、強制的に流体を流体層から抜出することもできる。このようにして、再帰反射部材１０の状態を、入射光を特定の方向へ再帰反射させる再帰反射状態と、入射光を再帰反射させない非再帰反射状態に切替えることができる。
【００２８】
次に、再帰反射部材１０の構造について説明する。再帰反射部材１０は様々な構造を採り得るので、いくつかの実施例に分けて説明する。
【００２９】
図５は、円筒面型再帰反射部材２１０の一部を示す外観斜視図である。円筒面型再帰反射部材２１０は、所定の大きさでユニット化されており、上述のようにビル２０の壁面に敷き詰める場合には、複数のユニットを並べて取り付ける。複数のユニットを並べて取り付ける場合には、円筒面型再帰反射部材２１０の配管１４と他の再帰反射部材の配管１２との間に接続部を設け、円筒面型再帰反射部材２１０と他の再帰反射部材とを連結するとよく、例えば、上方に取り付けられる円筒面型再帰反射部材２１０から下方に取り付けられた円筒面型再帰反射部材２１０に流体が流れるように構成するとよい。
【００３０】
ベース部材２５０は光学部材の一例であり、ベース部材２５０の表面は、平面部２５１と、平面部２５１に沿って互いに平行であるアレイ状に配列された複数のシリンドリカルレンズ２５２から構成される。シリンドリカルレンズ２５２は、入射光を集光する集光レンズである。シリンドリカルレンズ２５２はベース部材２５０に対して一体的に形成されており、その素材として、透明性が高くて屈折率の大きい、例えばポリメタクリル酸メチル樹脂（ＰＭＭＡ）、ポリカーボネート（ＰＣ）などの有機ガラスが用いられる。なお、円筒面型再帰反射部材２１０の用途によっても異なるが、壁材として利用する場合におけるシリンドリカルレンズ２５２の凸レンズ断面における半径は２ｍｍ程度に設定される。
【００３１】
円筒面型再帰反射部材２１０は、シリンドリカルレンズ２５２が配列されていない平面部２５１の所々に支柱２３１を複数設置し、板ガラス２３０を表面に配置して支持する。板ガラス２３０は、石英ガラスの他に、耐久性の高いポリカーボネートなどの有機ガラスを用いることもできる。この板ガラス２３０とベース部材２５０との間に、流体を出入することができる流体層２４０を形成する。また、円筒面型再帰反射部材２１０には、板ガラス２３０とベース部材２５０の周縁部において、流体層２４０を外界から密封する封止材２８０が設けられている。
【００３２】
ベース部材２５０の裏面は、後述するようにシリンドリカルレンズ２５２に対応して設けられる円筒反射鏡がアレイ状に配列されるので凹凸面である。そこで、取り扱い性、設置性などを考慮して、円筒面型再帰反射部材２１０の裏面が平坦となるように、平坦化層２７０を設ける。平坦化層２７０は、ベース部材２５０の裏面の凹凸を埋めて平坦にする充填材等からなる。また、円筒面型再帰反射部材２１０は、壁材等として利用できるように、ビス穴等の取付け部を周辺部に備える。
【００３３】
次に、球面型再帰反射部材３１０の構造について説明する。図６は、本実施形態に係る球面型再帰反射部材３１０の一部を示す外観斜視図である。球面型再帰反射部材３１０は、所定の大きさでユニット化されており、上述のようにビル２０の壁面に敷き詰める場合には、複数のユニットを並べて取り付ける。
【００３４】
ベース部材３５０は光学部材の一例であり、ベース部材３５０の表面は、平面部３５１と、平面部３５１に沿ってアレイ状に配列された複数の球面レンズ３５２から構成される。球面レンズ３５２は、入射光を集光する集光レンズである。球面レンズ３５２はベース部材３５０に対して一体的に形成されており、その素材として、透明性が高くて屈折率の大きい、例えばポリメタクリル酸メチル樹脂（ＰＭＭＡ）、ポリカーボネート（ＰＣ）などの有機ガラスが用いられる。なお、再帰反射部材１０の用途によっても異なるが、壁材として利用する場合における球面レンズ３５２の半径は２ｍｍ程度に設定される。
【００３５】
球面型再帰反射部材３１０は、球面レンズ３５２が配列されていない平面部３５１の所々に支柱３３１を複数設置し、板ガラス３３０を表面に配置して支持する。板ガラス３３０は、石英ガラスの他に、耐久性の高いポリカーボネートなどの有機ガラスを用いることもできる。この板ガラス３３０とベース部材３５０との間に、流体を出入することができる流体層３４０を形成する。また、球面型再帰反射部材３１０には、板ガラス３３０とベース部材３５０の周縁部において、流体層３４０を外界から密封する封止材３８０が設けられている。
【００３６】
ベース部材３５０の裏面は、後述するように球面レンズ３５２に対応して設けられる球面反射鏡がアレイ状に配列されるので凹凸面である。そこで、取り扱い性、設置性などを考慮して、球面型再帰反射部材３１０の裏面が平坦となるように、平坦化層３７０を設ける。平坦化層３７０は、ベース部材３５０の裏面の凹凸を埋めて平坦にする充填材等からなる。また、球面型再帰反射部材３１０は、壁材等として利用できるように、ビス穴等の取付け部を周辺部に備える。
【００３７】
図６における球面レンズ３５２の頂点を通る垂直平面Ｐによる球面型再帰反射部材３１０の断面形状は、図５におけるシリンドリカルレンズ２５２の頂点を通る垂直平面Ｑによる円筒面型再帰反射部材２１０の断面形状と、同一となるように設計することができる。つまり、円筒面型再帰反射部材２１０においては、再帰反射方向である特定の方向は、シリンドリカルレンズ２５２と円筒反射鏡面のそれぞれの円筒に直交する直交面に沿う方向となるが、球面型再帰反射部材３１０についても球面レンズ３５２の中心と球面反射鏡の中心をこのような直交面上に配置すれば、球面型再帰反射部材３１０の特定の方向を円筒面型再帰反射部材２１０の特定の方向と一致させることができる。このとき、シリンドリカルレンズ２５２と球面レンズ３５２の曲率半径、および、円筒反射鏡面と球面反射鏡の曲率半径をそれぞれ一致させれば、断面形状は同一となる。
【００３８】
そこで、以下の断面形状の説明および光学的関係の説明については、円筒面型再帰反射部材２１０を例としつつ、いずれのタイプの再帰反射部材であっても成り立つものとして進める。また、断面形状は様々な構造を採り得るので、いくつかの実施例に分けてそのバリエーションを説明する。
【００３９】
（実施例１）
図７は、実施例１に係る再帰反射部材４１０を、図５における平面Ｑ、即ちシリンドリカルレンズ４５２の母線に垂直な面で切断した場合の断面図である。ここで、図示する入射光１０１は、平面部４５１の法線を含む断面平面である平面Ｑに沿い、かつ法線に対して斜交して入射する、最も再帰反射率の高い特定の方向からの入射光を表す。
【００４０】
上述のように、ベース部材４５０の表面側にはシリンドリカルレンズ４５２がアレイ状に光学素子群として一体形成されているが、裏面側には各々のシリンドリカルレンズ４５２に対応して円筒反射鏡面４５３と、円筒反射鏡面４５３の各々を接続する接続面４５４が、反射面群によって構成される光学素子群として形成されている。円筒反射鏡面４５３は、ベース部材４５０に対してシリンドリカルレンズ４５２の凸方向と同じ向きとなるように成形された円筒形状の一部をなす凸面に、高反射塗料が塗布されて、シリンドリカルレンズ４５２側から見たときに鏡面として機能するように形成されている。円筒反射鏡面４５３は、流体層４４０およびシリンドリカルレンズ４５２に対して特定の入射角およびこれに準ずる入射角で入射する入射光を再帰反射または準再帰反射させる面であるので、これらの入射角に対応する有効面を含むように、円筒面の一部がベース部材４５０に成形される。シリンドリカルレンズ４５２と円筒反射鏡面４５３の光軸は、最も効率よく反射させたい特定の方向の入射光に沿うように設定される。なお、円筒反射鏡面４５３は、対応するシリンドリカルレンズ４５２と対となって機能するので、円筒反射鏡面４５３も、ベース部材４５０に対してアレイ状に配列される。このとき、シリンドリカルレンズ４５２の円筒軸である曲率中心軸と、円筒反射鏡面４５３の円筒軸である曲率中心軸とは平行である。しかし、後述するように、特定の方向の入射光に対して最も効率よく再帰反射させるべく、これらの曲率中心軸は一致しないように配置されている。
【００４１】
また、実施例１に係る再帰反射部材４１０は、特定の方向から入射する太陽光を再帰反射させることを目的としているので、入射光は平行光と考えることができる。したがって、対となるシリンドリカルレンズ４５２と円筒反射鏡面４５３が、その相対関係を維持しながら繰り返し構造を採ることで、それぞれシリンドリカルレンズ４５２のアレイと円筒反射鏡面４５３のアレイが形成される。再帰反射させる対象光が平行光ではなく、シリンドリカルレンズ４５２ごとに入射光の入射角が異なる場合は、それぞれの入射光に対応するように、対となるシリンドリカルレンズ４５２と円筒反射鏡面４５３の相対関係を修正しながらアレイを形成すれば良い。
【００４２】
円筒面の一部として成形された円筒反射鏡面４５３のそれぞれを接続する接続面４５４は、入射光が入射する特定の方向とは異なる方向を向く、平面または曲面として成形されている。特定の方向以外の方向から入射する入射光は、シリンドリカルレンズ４５２または平面部４５１を透過して、直接にまたは円筒反射鏡面４５３で反射して、接続面４５４に到達する。接続面４５４は光拡散加工が施されており、接続面４５４に到達する入射光は拡散される。つまり、このように入射された入射光は、再帰反射されることなく拡散される。光拡散加工は、円筒反射鏡面４５３をマスクした上で、例えばブラスト処理により接続面４５４を粗化する加工である。
【００４３】
なお、接続面４５４に光拡散加工を施すことに代えて、平坦化層４７０を形成する充填材として光拡散させることのできる素材を用いても良い。このように構成すれば、接続面を透過した入射光が充填材で光拡散されるので、接続面４５４に光拡散加工を施す場合と同等の効果を発揮する。
【００４４】
接続面４５４には、光拡散加工を施した上に、色彩塗装を施しても良い。接続面４５４は入射光が入射する特定の方向とは異なる方向を向いており、例えばビル２０付近を歩く歩行者は、再帰反射部材４１０を見上げたときに、塗装が施された色彩を視認する。したがって、再帰反射部材４１０は、特定の方向から入射する入射光については効率的な再帰反射性を発揮しつつ、他の方向から観察者により観察されるときには、任意の色彩、模様を視認させることができる。なお、接続面４５４に色彩塗装を施すことに代えて、平坦化層４７０を形成する充填材に塗料を混ぜることにより、観察者に色彩、模様を視認させることもできる。
【００４５】
平坦化層４７０は、上述のように形成された円筒反射鏡面４５３の円筒面、および接続面４５４によるベース部材４５０の裏面側の凹凸を充填材で埋めて、再帰反射部材４１０の裏面を平坦にする役割を担う。これにより、円筒反射鏡面４５３と接続面４５４を保護すると共に、再帰反射部材４１０の取扱い性を向上させることができる。
【００４６】
図８は、実施例１に係る再帰反射部材４１０の、流体層４４０から流体を抜出したときの光学的関係を示す説明図であり、図５に示した平面Ｑ、即ちシリンドリカルレンズ４５２の母線に垂直な面で切断した場合の断面光路図である。特に、対となるシリンドリカルレンズ４５２と円筒反射鏡面４５３の関係を示す。図において、入射点ｂは入射光１０１がシリンドリカルレンズ４５２の境界と交わる点であり、焦点ｄは流体層４４０から流体を抜出したときの入射光１０１に対するシリンドリカルレンズ４５２の焦点である。また、中心ｃはシリンドリカルレンズ４５２のレンズ面の曲率中心であり、半径ｒはシリンドリカルレンズ４５２の半径である。シリンドリカルレンズ４５２は、中心ｃを通る紙面に垂直なラインを曲率中心軸とする。
【００４７】
入射点ｂと焦点ｄの距離は流体層４４０から流体を抜出したときの焦点距離ｆであり、点線で示す焦点面４５７は、入射点ｂを中心とする半径ｆの曲線を表す。円筒反射鏡面４５３を含む円筒面４５８は、焦点ｄを中心とする半径ｑの円筒面である。したがって、円筒反射鏡面４５３は、焦点ｄを通る紙面に垂直なラインを曲率中心軸とする。
【００４８】
屈折率ｎ１は入射光１０１が入射点ｂに入射する手前の媒質における屈折率であり、実施例１においては流体が抜出されて空気が満たされている流体層４４０の屈折率であるのでｎ１＝１．０である。屈折率ｎ２は入射光１０１が入射点ｂに入射してからの媒質における屈折率であり、実施例１においては、シリンドリカルレンズ４５２が一体的に形成されるベース部材４５０の屈折率である。ベース部材４５０としてポリカーボネートを用いた場合の屈折率は、ｎ２＝１．５８５である。入射点ｂ、中心ｃおよび焦点ｄを結ぶ直線は、シリンドリカルレンズ４５２と円筒反射鏡面４５３の光軸であり、実施例１において入射光１０１は、この光軸に沿った特定の方向から入射する太陽光を想定している。
【００４９】
球面レンズ境界の前後において近軸領域の範囲で成立するアッベの不変量によれば、物体の位置からレンズ境界までの距離をｓ、レンズ境界から像の位置までの距離をｓ'、物体側の媒質の屈折率をｎ１、像側の媒質の屈折率をｎ２、球面レンズの半径をｒとすると、
ｎ１（１／ｒ−１／ｓ）＝ｎ２（１／ｒ−１／ｓ'）                      （１）
が成立する。ここで、実施例１においては、断面内における光線の挙動に対してアッベの不変量が適用でき、また、太陽光を入射光として扱うので、ｓ→∞、ｓ'→ｆとなる。すると、焦点距離ｆは、
ｆ＝｛ｎ２／（ｎ２−ｎ１）｝ｒ                                        （２）
が成り立つ。
【００５０】
したがって、入射点ｂを中心とする半径ｆの円筒面である焦点面４５７のうち、焦点ｄの近傍を鏡面とすれば、入射光１０１を再帰反射させることができる。しかし、このように鏡面を設定すると、凹面に焦点が存在することになり、太陽光を集光して過熱する場合がある。そこで実施例１においては、焦点面を鏡面とすることを避けて、焦点ｄを中心とする半径ｑの円筒面４５８上に円筒反射鏡面４５３を設定する。このように円筒反射鏡面４５３を設定すると、入射光１０１とその近傍の光線は、いずれも円筒反射鏡面４５３に対して直交して入射するので、入射する方向にそのまま反射する。すなわち、再帰反射させることができる。さらに、半径ｑは光学的に一意に定まるものではないので、集光による許容発熱量、再帰反射部材４１０の厚さ、再帰反射率、有効入射角等のパラメータに応じて適宜設定することができる。
【００５１】
円筒面４５８の中心とシリンドリカルレンズ４５２のレンズ面曲率中心ｃとが一致すると、シリンドリカルレンズ４５２のレンズ面と円筒反射鏡面４５３は同心となるので、特定の方向からの入射光を再帰反射させるのではなく、シリンドリカルレンズ４５２へ垂直に入射するすべての入射光を再帰反射させてしまう。しかし、実施例１においては、焦点ｄを中心とする半径ｑの円筒面４５８上に円筒反射鏡面４５３を設定するので、シリンドリカルレンズ４５２へ垂直に入射するすべての入射光を再帰反射させてしまうことはない。実施例１において、最も効率よく再帰反射される特定の方向とは、シリンドリカルレンズ４５２の曲率中心ｃと円筒反射鏡面４５３の曲率中心ｄとで定義される光軸（図８では、入射光１０１、反射光１０２に一致）の方向となる。以下の実施例においても同様である。
【００５２】
ここで、シリンドリカルレンズ４５２の代わりに球面レンズを、円筒反射鏡面４５３の代わりに球面反射鏡を適用した場合について説明する。上述のように、シリンドリカルレンズ４５２は、中心ｃを通る紙面に垂直なラインを曲率中心軸とした。すなわち紙面の垂直方向に円筒が延びる形状であったが、球面レンズを適用する場合は、中心ｃを球面レンズの曲率中心とする。同様に、円筒反射鏡面４５３は、焦点ｄを通る紙面に垂直なラインを曲率中心軸としたが、球面反射鏡を適用する場合は、焦点ｄを球面反射鏡の曲率中心とする。このように構成すると、入射光１０１を入射する方向にそのまま反射させて反射光１０２とすることができる。このとき、入射光１０１に対して紙面垂直方向にも成分を持つ入射光が入射する場合は、円筒面型であれば、紙面垂直方向の成分について正反射をする準再帰反射となるが、球面型であれば、入射光１０１に対して焦点ｄを頂点とする所定の円錐形に入っていれば一定の再帰反射率以上の反射率で再帰反射する。
【００５３】
また、球面型であれば、球面レンズの曲率中心と球面反射鏡の曲率中心を、平面部４５１の法線を含む断面平面上に設定しなくても良い。互いの曲率中心をずらせば、球面レンズと球面反射鏡の光軸を、平面部４５１の法線に対して紙面垂直方向にも傾けることができるので、再帰反射させる特定の方向をより自由に設定することができる。
【００５４】
図９は、実施例１に係る再帰反射部材４１０の流体層４４０に、流体を充填したときの光学的関係を示す説明図である。ここで、流体層４４０の屈折率をｎ３（≠ｎ１）とする。このとき、流体が充填された流体層４４０は、流体層４４０から流体が抜出されているときとは異なる角度で入射光を屈折させる。したがって太陽光は、入射光１０１と同じ入射角で再帰反射部材４１０に入射する場合にも、流体層４４０から流体を抜出したときとは異なる入射角でシリンドリカルレンズ４５２に入射する。
【００５５】
入射光１０７は、入射光１０１と同じ入射角で再帰反射部材４１０に入射する光であり、シリンドリカルレンズ４５２のレンズ面曲率中心ｃを通過する。つまり入射光１０７は、流体層４４０に流体が充填されているときの、入射光１０１と同じ入射角で再帰反射部材４１０に入射する光の主光線である。
【００５６】
図９において、入射点ｂ'は入射光１０７がシリンドリカルレンズ４５２の境界と交わる点であり、焦点ｄ'は入射光１０７に対するシリンドリカルレンズ４５２の焦点である。すなわち入射光１０７は、円筒反射鏡面４５３に垂直に入射しない。このため入射光１０７は、入射光１０１と同じ入射角で再帰反射部材４１０に入射しているにもかかわらず再帰反射されない。つまり本実施例に係る再帰反射部材４１０は、流体層４４０に流体が充填されているときには、特定の方向から入射する光についても再帰反射性を有さない。
【００５７】
このように、本実施例に係る再帰反射部材４１０は流体を出入することができる流体層４４０が形成されるので、流体層４４０に流体を充填する、または流体層４４０から流体を抜出することにより、入射光を特定の方向へ再帰反射させる再帰反射状態と、入射光を再帰反射させない非再帰反射状態に切替えることができる。これにより、夏の間は太陽光を再帰反射させて、ヒートアイランド現象を抑制するとともに、冬の間は太陽光を再帰反射させることなく、太陽光のエネルギーを利用して壁材を温めて、ビル全体の消費熱エネルギーを削減することができる。
【００５８】
図９において、入射点ｂ'と焦点ｄ'の距離は流体層４４０に流体が充填されているときの焦点距離ｆ'であり、
ｆ'＝｛ｎ２／（ｎ２−ｎ３）｝ｒ                                      （３）
が成り立つ。また、点線で示す焦点面５５７は、入射点ｂ'を中心とする半径ｆ'の曲線を表す。したがって、焦点ｄ'を中心とする円筒反射鏡面を設けるように設計すれば、流体層４４０に流体を充填したときに入射光１０７を再帰反射させることができる。つまり、円筒反射鏡面を設ける位置を変更することにより、流体層４４０に流体が充填されているときに入射光を特定の方向へ再帰反射させる再帰反射部材に変更することができる。
【００５９】
このように、円筒反射鏡面を設ける位置を変更することにより、流体層４４０に流体を充填したときも、流体層４４０から流体を抜出したときと同等の再帰反射性の効果を得ることができる。以下の実施例では、流体層から流体を抜出したときに再帰反射性を有する再帰反射部材について説明し、流体層に流体を充填したときに再帰反射性を有する再帰反射部材の説明は省略する。
【００６０】
（実施例２）
上記実施例１においてはシリンドリカルレンズ４５２の凸方向と同じ向きとなるように円筒反射鏡面４５３の凸面を設定したが、円筒反射鏡面４５３は逆向きに凸面を設けても良い。図１０は、円筒反射鏡面４５３の凸面を逆向きに設けた、実施例２に係る再帰反射部材の光学的関係を示す説明図である。図８と同一の要素については同一の符番を付して説明を省略する。
【００６１】
上述のように、焦点ｄを中心とする半径ｑの円筒面４５８上に鏡面を設ければ、流体層４４０から流体を抜出したときの焦点面を鏡面とすることを避けられる。したがって、焦点ｄよりシリンドリカルレンズ４５２側の円筒面４５８上に鏡面を設けるだけでなく、焦点ｄより後方側の円筒面４５８上に鏡面を設けても良い。すなわち、シリンドリカルレンズ４５２側から見れば凹面となる領域に円筒反射鏡面５５３を設ける。この場合、高反射塗料を塗布する面が凸面となるので鏡面を形成しやすい。
【００６２】
上述のいずれの実施例においても、シリンドリカルレンズ４５２と、これに対応する円筒反射鏡面４５３または円筒反射鏡面５５３とは対として、ベース部材４５０に対してそれぞれアレイ状に配列される。再帰反射率を調整したい場合は、配列させるアレイの密度を変更すればよい。この場合、各々の大きさを小さくして密に配列させることもできる。
【００６３】
（実施例３）
図１１は、実施例３に係る再帰反射部材６１０を、図５における平面Ｑと同様の断面で切断した場合の断面図である。図示するように、本実施例では、実施例１および実施例２と、円筒反射鏡面の配置が若干異なる。以下に共通する部分の説明を省略しつつ、本実施例の特徴部分を中心に説明する。
【００６４】
図示する入射光１０１は、平面部６５１の法線を含む断面平面に沿い、かつ法線に対して斜交して入射する、最も再帰反射率の高い特定の方向からの入射光を表す。ベース部材６５０の表面側にはシリンドリカルレンズ６５２がアレイ状に光学素子群として一体形成されているが、裏面側には各々のシリンドリカルレンズ６５２に対応して円筒反射鏡面６５３と、円筒反射鏡面６５３の各々を接続する接続面６５４が、反射面群によって構成される光学素子群として形成されている。円筒反射鏡面６５３は、ベース部材６５０に対してシリンドリカルレンズ６５２の凸方向と逆向きとなるように成形された球形状の一部をなす凸面に、高反射塗料が塗布されて、シリンドリカルレンズ６５２側から見たときに鏡面として機能するように形成されている。円筒反射鏡面６５３は、流体層６４０およびシリンドリカルレンズ６５２に対して特定の入射角およびこれに準ずる入射角で入射する入射光を再帰反射または準再帰反射させる面であるので、これらの入射角に対応する有効面を含むように、円筒面の一部がベース部材６５０に成形される。シリンドリカルレンズ６５２と円筒反射鏡面６５３の光軸は、最も効率よく反射させたい特定の方向の入射光に沿うように設定される。なお、円筒反射鏡面６５３は、対応するシリンドリカルレンズ６５２と対となって機能するので、円筒反射鏡面６５３も、ベース部材６５０に対してアレイ状に配列される。このとき、シリンドリカルレンズ６５２の円筒軸である曲率中心軸と、円筒反射鏡面６５３の円筒軸である曲率中心軸とは平行である。しかし、特定の方向の入射光に対して最も効率よく再帰反射させるべく、これらの曲率中心軸は一致しないように配置されているのは実施例１および実施例２と同様である。
【００６５】
図１２は、実施例３に係る再帰反射部材６１０の、光学的関係を示す説明図である。特に、対となるシリンドリカルレンズ６５２と円筒反射鏡面６５３の関係を示す。図において、入射点ｂは入射光１０１がシリンドリカルレンズ６５２の境界と交わる点であり、焦点ｄは流体層６４０から流体を抜出したときの入射光１０１に対するシリンドリカルレンズ６５２の焦点である。また、中心ｃはシリンドリカルレンズ６５２の曲率中心であり、半径ｒはシリンドリカルレンズ６５２の半径である。シリンドリカルレンズ６５２は、中心ｃを通る紙面に垂直なラインを曲率中心軸とする。
【００６６】
入射点ｂと焦点ｄの距離は流体層６４０から流体を抜出したときの焦点距離ｆであり、点線で示す焦点面６５７は、入射点ｂを中心とする半径ｆの曲面を表す。上述のようにアッベの不変量を適用すると、入射点ｂを中心とする半径ｆの曲面である焦点面６５７のうち、焦点ｄの近傍を鏡面とすれば、入射光１０１とその近傍の光線は、いずれもこの鏡面に対して直交して入射するので、入射する方向にそのまま反射させることができる。すなわち、再帰反射させることができる。そこで実施例３においては、この入射点ｂを中心とする半径ｆの円筒面に沿って円筒反射鏡面６５３を設けている。したがって、円筒反射鏡面６５３は、入射点ｂを通る紙面に垂直なラインを曲率中心軸とする。
【００６７】
シリンドリカルレンズ６５２の半径ｒを変更すれば焦点距離ｆを変更することができるので、再帰反射部材６１０の厚さ、再帰反射率、有効入射角等のパラメータに応じて適宜設定することができる。また、円筒反射鏡面６５３の鏡面として焦点面６５７に沿って設ける有効面の大きさを変更することによっても、再帰反射率、有効入射角等を適宜設定することができる。
【００６８】
上述のように、シリンドリカルレンズ６５２とこれに対応する円筒反射鏡面６５３は対として、ベース部材６５０に対してそれぞれアレイ状に配列される。再帰反射部材６１０全体としての再帰反射率を調整したい場合は、配列させるアレイの密度を変更しても良い。この場合、各々の大きさを小さくして密に配列させることもできる。
【００６９】
（実施例４）
図１３は、実施例４に係る再帰反射部材７１０を、図５における平面Ｑと同様の平面で切断した場合の断面図である。図示するように、本実施例では、シリンドリカルレンズアレイと円筒反射鏡面アレイの間にもう１つのシリンドリカルレンズアレイと空気層を備える点で上記の実施例とは異なる。以下に共通する部分の説明を省略しつつ、本実施例の特徴部分を中心に説明する。
【００７０】
図示する入射光１０１は、平面部７５１の法線を含む断面平面に沿い、かつ法線に対して斜交して入射する、最も再帰反射率の高い特定の方向からの入射光を表す。第１ベース部材７５０の表面側には第１シリンドリカルレンズ７５２がアレイ状に光学素子群として一体形成されているが、裏面側にも各々の第１シリンドリカルレンズ７５２に対応して、射出側レンズとしての第２シリンドリカルレンズ７５３がアレイ状に光学素子群として一体形成されている。対応するそれぞれの第１シリンドリカルレンズ７５２と第２シリンドリカルレンズ７５３は、対となって集光レンズを構成し、アレイ状に形成された集光レンズは集光レンズアレイを構成する。このとき、第１シリンドリカルレンズ７５２の円筒軸である曲率中心軸と、第２シリンドリカルレンズ７５３の円筒軸である曲率中心軸とは平行である。しかし、特定の方向の入射光に対して最も効率よく再帰反射させるべく、これらの曲率中心軸は一致しないように配置されている。
【００７１】
集光レンズの光軸に沿って入射する入射光は、集光レンズによって集光され、第２ベース部材７７０に形成された円筒反射鏡面７７１で結像する。円筒反射鏡面７７１は、第１ベース部材７５０に対して第２シリンドリカルレンズ７５３の凸方向と同じ向きとなるように第２ベース部材７７０に成形された円筒形状の一部をなす凹面に、高反射塗料が塗布されて、集光レンズ側から見たときに鏡面として機能するように形成されている。円筒反射鏡面７７１は、流体層７４０および集光レンズに対して特定の入射角およびこれに準ずる入射角で入射する入射光を再帰反射または準再帰反射させる面であるので、これらの入射角に対応する有効面を含むように、円筒面の一部が第２ベース部材７７０に成形される。集光レンズおよび円筒反射鏡面７７１の光軸は、最も効率よく反射させたい特定の方向の入射光に沿うように設定される。なお、円筒反射鏡面７７１は、対応する集光レンズと対となって機能するので、円筒反射鏡面７７１も、第２ベース部材７７０に対してアレイ状に配列され、反射面群によって構成される光学素子群が形成される。
【００７２】
第２ベース部材７７０には、円筒反射鏡面７７１の各々を接続する接続面７７２が形成されている。また、接続面７７２の一部には平面部７７３が形成されている。平面部７７３は、第１ベース部材７５０の裏面側に形成された第２シリンドリカルレンズ７５３のアレイ間を接続する平面部７５９と互いに平行に対向している。なお、共に第１ベース部材７５０に設けられた平面部７５１と平面部７５９も互いに平行な面である。
【００７３】
対向する平面部７５９と平面部７７３の間の所々には複数のスペーサ７６１が設けられており、これらのスペーサ７６１は、第１ベース部材７５０と第２ベース部材７７０を接着により一体化すると共に、入射光１０１が円筒反射鏡面７７１で結像するように、第１ベース部材７５０と第２ベース部材７７０の間隔を定める。第１ベース部材７５０と第２ベース部材７７０の間には、空気層７６０が形成される。なお、本実施例においても、支柱７３１で支持される板ガラス７３０と第１ベース部材７５０の間に形成される層が流体層７４０である。
【００７４】
上述の実施例１から３と同様に、接続面７７２に光拡散加工を施しても良い。また、本実施例においては、接続面７７２に光拡散加工を施すことに代えて、第２ベース部材７７０の裏面に光拡散加工を施しても良い。このように構成すれば、円筒反射鏡面７７１で再帰反射されずに第２ベース部材に入射した入射光を拡散させることができる。また、円筒反射鏡面７７１を個別にマスクする必要がないので、光拡散加工が容易である。
【００７５】
さらに、上述の実施例１から３と同様に、接続面７７２に色彩塗装を施しても良い。また、本実施例においては、接続面７７２に色彩塗装を施すことに代えて、第２ベース部材７７０の裏面に色彩塗装を施すことにより、観察者に色彩、模様を視認させることもできる。円筒反射鏡面７７１の領域に高反射塗料が塗布できる素材であれば、第２ベース部材７７０自体を有色とすることもできる。
【００７６】
図１４は、実施例４に係る再帰反射部材７１０の、光学的関係を示す説明図である。特に、対となる第１シリンドリカルレンズ７５２、第２シリンドリカルレンズ７５３および円筒反射鏡面７７１の関係を示す。図において、入射点ｂは入射光１０１が第１シリンドリカルレンズ７５２の境界と交わる点であり、射出点ｅは入射光１０１が第２シリンドリカルレンズ７５３の境界と交わる点である。焦点ｇは、流体層７４０から流体を抜出したときの、第１シリンドリカルレンズ７５２と第２シリンドリカルレンズ７５３からなる集光レンズの入射光１０１に対する焦点である。また、中心ｃは第１シリンドリカルレンズ７５２のレンズ面曲率中心であり、半径ｒ１は第１シリンドリカルレンズ７５２の半径である。同様に、中心ｄは第２シリンドリカルレンズ７５３のレンズ面曲率中心であり、半径ｒ２は第２シリンドリカルレンズ７５３の半径である。第１シリンドリカルレンズ７５２は、中心ｃを通る紙面に垂直なラインを曲率中心軸とし、第２シリンドリカルレンズ７５３は、中心ｄを通る紙面に垂直なラインを曲率中心軸とする。
【００７７】
焦点距離ｆは、流体層７４０から流体を抜出したときの集光レンズの焦点距離であり、点線で示す焦点面７７７は、後側主点ｈを中心とする半径ｆの円筒面を表す。屈折率ｎ１は入射光１０１が入射点ｂに入射する手前の媒質における屈折率であり、本実施例においては、流体が抜出されて空気で満たされた流体層７４０の屈折率であるのでｎ１＝１．０である。屈折率ｎ２は入射光１０１が入射点ｂに入射してからの媒質における屈折率であり、本実施例においては、第１シリンドリカルレンズ７５２が一体的に形成される第１ベース部材７５０の屈折率である。第１ベース部材７５０としてポリカーボネートを用いた場合の屈折率は、ｎ２＝１．５８５である。屈折率ｎ３は入射光１０１が射出点ｅから射出した後の媒質における屈折率であり、本実施例においては空気層７６０の屈折率であるのでｎ３＝１．０である。入射点ｂ、中心ｃ、中心ｄ、射出点ｅおよび焦点ｇを結ぶ直線は、第１シリンドリカルレンズ７５２、第２シリンドリカルレンズ７５３および円筒反射鏡面７７１の光軸であり、本実施例において入射光１０１は、この光軸に沿った特定の方向から入射する太陽光を想定している。
【００７８】
大気中に置かれたレンズにおいて近軸領域の範囲で成立するレンズ・メーカーの式によれば、各面の曲率半径をｒ１、ｒ２、レンズの屈折率をｎ、レンズの面間隔をＤとすると、焦点距離ｆは、
ｆ＝ｎｒ１ｒ２／｛（ｎ−１）２Ｄ＋ｎ（ｎ−１）（ｒ２−ｒ１）｝        （４）
が成立する。
【００７９】
したがって、後側主点ｈを中心とする半径ｆの曲面である焦点面７７７のうち、焦点ｇの近傍を鏡面とすれば、入射光１０１とその近傍の光線は、いずれもこの鏡面に対して直交して入射するので、入射する方向にそのまま反射させることができる。すなわち、再帰反射させることができる。そこで本実施例においては、この後側主点ｈを中心とする半径ｆの曲面に沿って円筒反射鏡面７７１を設けている。なお、レンズの面間隔Ｄは、入射点ｂと射出点ｅの距離である。
【００８０】
第１シリンドリカルレンズ７５２の半径ｒ１および第２シリンドリカルレンズ７５３の半径ｒ２を変更すれば焦点距離ｆを変更することができるので、再帰反射部材７１０の厚さ、再帰反射率、有効入射角等のパラメータに応じて適宜設定することができる。半径ｒ１およびｒ２は、異なる値であっても同じ値であっても良い。また、円筒反射鏡面７７１の鏡面として焦点面７７７に沿って設ける有効面の大きさを変更することによっても、再帰反射率、有効入射角等を適宜設定することができる。
【００８１】
上述のように、第１シリンドリカルレンズ７５２、第２シリンドリカルレンズ７５３および円筒反射鏡面７７１はそれぞれアレイ状に配列される。再帰反射部材７１０全体としての再帰反射率を調整したい場合は、配列させるアレイの密度を変更しても良い。この場合、各々の大きさを小さくして密に配列させることもできる。
【００８２】
上述の各実施例においては、集光レンズの例として断面が円弧である凸シリンドリカルレンズを採用したが、集光レンズの断面は円弧に限らない。所定の再帰反射率を得る入射角の範囲を調整する、入射光の波長依存性を軽減する等を目的として、円弧以外の曲線を採用することもできる。また、反射鏡面についても、断面として円弧以外の曲線を採用することができる。円弧以外の曲線としては、２次曲線（放物線・双曲線・楕円）または、高次多項式で表される非球面が挙げられる。また、シリンドリカルレンズの短手断面がフレネルレンズ形状であるシリンドリカルフレネルレンズも採用できる。
【００８３】
上記実施例１から４においては、板ガラスとベース部材との間に流体を出入することができる流体層を形成したが、以下に説明する実施例５から７のように、シリンドリカルレンズと円筒反射鏡面の間に流体を出入できる流体層を形成してもよい。
【００８４】
（実施例５）
図１５は、実施例５に係る再帰反射部材８１０を、図５における平面Ｑと同様の平面で切断した場合の断面図である。本実施例においては、図７のベース部材４５０に相当するベース部材８５０は、前側ベース部材８５５と後側ベース部材８５６の２つの部材から構成される。前側ベース部材８５５の表面側には、ベース部材４５０の表面側と同様に、シリンドリカルレンズ８５２がアレイ状に光学素子群として一体形成されている。また、後側ベース部材８５６の裏面側には、ベース部材４５０の裏面側と同様に、各々のシリンドリカルレンズ８５２に対応して円筒反射鏡面８５３と、円筒反射鏡面８５３の各々を接続する接続面８５４が、反射面群によって構成される光学素子群として形成されている。そして、ベース部材８５０は、図７の平面部４５１に対応する平面部８５１と平行な平面で前側ベース部材８５５と後側ベース部材８５６に分割され、互いに対向して離間されている。つまり、本実施例においては、この離間されて形成された空間を流体層８４０として利用する。以下に、共通する部分の説明を省略しつつ、本実施例の特徴部分を中心に説明する。
【００８５】
シリンドリカルレンズ８５２が形成されている前側ベース部材８５５と円筒反射鏡面８５３が形成されている後側ベース部材８５６は、上述のように離間された上で、スペーサ８４１により接着され一体化される。詳しくは後述するが、前側ベース部材８５５と後側ベース部材８５６との間隔は、ベース部材８５０で構成された集光レンズの入射光１０１に対する焦点を曲率の中心とした円筒反射鏡面８５３に、入射光１０１が垂直に入射するように定める。本実施例においては、ベース部材８５０を分割して、流体層８４０を形成したので、板ガラス８３０と、シリンドリカルレンズ８５２との間は空気が満たされる空気層８６０とする。
【００８６】
図１６は、実施例５に係る再帰反射部材８１０の、光学的関係を示す説明図である。図１６において、入射点ｂは入射光１０１がシリンドリカルレンズ８５２の境界と交わる点であり、射出点ｅは入射光１０１が流体層８４０の境界と交わる点であり、入射点ｇは入射光１０１が円筒反射鏡面８５３が形成されている後側ベース部材８５６と交わる点である。焦点ｄ'は、流体層８４０から流体を抜出したときの、ベース部材８５０で構成された集光レンズの入射光１０１に対する焦点である。また、中心ｃはシリンドリカルレンズ８５２のレンズ面曲率中心であり、半径ｒはシリンドリカルレンズ８５２の半径である。シリンドリカルレンズ８５２は、中心ｃを通る紙面に垂直なラインを曲率中心軸とする。
【００８７】
屈折率ｎ１は入射光１０１が入射点ｂに入射する手前の媒質における屈折率であり、本実施例においては、空気層８６０の屈折率である。屈折率ｎ２は入射光１０１が入射点ｂに入射してからの媒質における屈折率であり、本実施例においては、シリンドリカルレンズ８５２が一体的に形成される前側ベース部材８５５の屈折率である。屈折率ｎ３は入射光１０１が射出点ｅから射出した後の媒質における屈折率であり、本実施例においては流体層８４０から流体を抜いたときの屈折率であり、空気の屈折率である。流体層に流体を充填した場合の、流体の屈折率はｎ３'とする。
【００８８】
入射点ｂと焦点ｄ'の距離は焦点距離ｆであり、点線で示す焦点面８５７は、入射点ｂを中心とする半径ｆの曲線を表す。円筒反射鏡面８５３を含む円筒面８５８は、焦点ｄ'を中心とする半径ｑの円筒面である。したがって、円筒反射鏡面８５３は、焦点ｄ'を通る紙面に垂直なラインを曲率中心軸とする。
【００８９】
上述のようにアッベの不変量を適用すると、入射点ｂを中心とする半径ｆの円筒面である焦点面８５７のうち、焦点ｄ'の近傍を鏡面とすれば、入射光１０１を再帰反射させることができる。しかし、このように鏡面を設定すると、凹面に焦点が存在することになり、太陽光を集光して過熱する場合がある。そこで実施例５においては、焦点面を鏡面とすることを避けて、焦点ｄ'を中心とする半径ｑの円筒面８５８上に円筒反射鏡面８５３を設定する。このように円筒反射鏡面８５３を設定すると、入射光１０１とその近傍の光線は、いずれも円筒反射鏡面８５３に対して直交して入射するので、入射する方向にそのまま反射する。すなわち、再帰反射させることができる。さらに、半径ｑは光学的に一意に定まるものではないので、集光による許容発熱量、再帰反射部材８１０の厚さ、再帰反射率、有効入射角等のパラメータに応じて適宜設定することができる。
【００９０】
次に、本実施例に係る再帰反射部材８１０の焦点ｄ'と、実施例１に係る再帰反射部材４１０の焦点ｄとを比較する。本実施例の再帰反射部材８１０は、シリンドリカルレンズ８５２と円筒反射鏡面８５３との間に流体層８４０が形成されるので、入射光１０１は、均質の媒質を進む実施例１とは異なる光路を進む。したがって本実施例の再帰反射部材８１０は、実施例１に係る再帰反射部材４１０の焦点ｄとは異なる位置に焦点ｄ'を結ぶ。
【００９１】
本実施例の再帰反射部材８１０が焦点を結ぶ位置は、流体層８４０の厚さに応じて、実施例１に係る再帰反射部材４１０の焦点ｄと比較して、紙面左右方向および紙面上下方向に移動するが、ここでは説明を簡単にするために、本実施例と実施例１のそれぞれの入射光１０１が、紙面上下方向に同じ距離を進み、本実施例の再帰反射部材８１０の焦点ｄ'が、実施例１に係る再帰反射部材４１０の焦点ｄと比較して、紙面左右方向にのみ移動する場合を例にあげて説明する。
【００９２】
実施例５に係る再帰反射部材８１０のシリンドリカルレンズ８５２の半径ｒ、および屈折率ｎ２が、実施例１に係る再帰反射部材４１０のシリンドリカルレンズ４５２の半径ｒ、および屈折率ｎ２と等しいとする。この場合、実施例５に係る再帰反射部材８１０に入射する入射光１０１は、射出点ｅに到達するまで、および入射点ｇに到達してから焦点ｄ'に到達するまでは、実施例１に係る再帰反射部材４１０に入射する入射光１０１と同様の光路を進む。
【００９３】
一方、射出点ｅに到達してから入射点ｇに到達するまでは、均質の媒質を進む実施例１の光路とは異なり、屈折しつつ異なる光路を進む。実施例５に係る再帰反射部材８１０において、入射光１０１が射出点ｅに到達してから入射点ｇに到達するまでに紙面左右方向に進む距離は、図１６に図示するように流体層８４０の厚さＤである。これに対し、実施例１に係る再帰反射部材４１０において入射光１０１が紙面左右方向に進む距離はＤ０であるとする。ここでは、本実施例と実施例１のそれぞれの入射光１０１が、紙面上下方向に同じ距離を進む場合を考えているので、射出点ｅと入射点ｇとの紙面上下方向の距離は、実施例１でも実施例５でも同じである。したがって、
Ｄ０／ｔａｎθ＝Ｄ／ｔａｎθ'                                        （５）
の関係が成り立つ。θは入射光１０１の再帰反射部材８１０への入射角であり、θ'はｎ２ｓｉｎθ＝ｎ３ｓｉｎθ'を満たす角度である。この（５）式を変形すると、厚さＤ、入射角θおよび屈折率ｎ２、ｎ３で距離Ｄ０を表すことができる。
Ｄ０＝Ｄｔａｎθ／ｔａｎθ'                                          （６）
【００９４】
屈折率ｎ３が屈折率ｎ２よりも小さい場合、θ'は入射光１０１の入射角θよりも大きくなるので、Ｄ０はＤよりも大きい。すなわち、本実施例と実施例１のそれぞれの入射光１０１が、紙面上下方向に同じ距離を進む場合は、流体層８４０から流体を抜出した場合の実施例５に係る再帰反射部材８１０は、実施例１に係る再帰反射部材４１０の焦点ｄと比較して、紙面左方向に対しては、
Δ＝Ｄ｛（ｔａｎθ／ｔａｎθ'）−１｝                                （７）
移動した位置に焦点ｄ'を結ぶ。つまり、実施例５に係る再帰反射部材８１０のようにベース部材８５０を分割して流体層８４０を形成すると、再帰反射部材８１０を薄く構成することができる。
【００９５】
実施例５に係る再帰反射部材８１０は、ベース部材８５０を鉛直方向に分割するので、前側ベース部材８５５と後側ベース部材８５６との間隔は一定である。このため、流体層８４０に充填される流体は、実施例１と比較して少ない。したがって実施例５に係る再帰反射部材８１０は、比較的少ない量の流体の出入で、入射光を特定の方向へ再帰反射させる再帰反射状態と、入射光を再帰反射させない非再帰反射状態に切替えることができる。
【００９６】
（実施例６）
図１７は、実施例６に係る再帰反射部材９１０を、図５における平面Ｑと同様の平面で切断した場合の断面図である。上述の実施例５においては、図７で示す実施例１のベース部材４５０を分割した前側ベース部材８５５と後側ベース部材８５６の２つの部材から構成されるベース部材８５０を利用して流体層８４０を形成した。本実施例においては、図１１で示す実施例３のベース部材６５０を分割した前側ベース部材９５５と後側ベース部材９５６の２つの部材から構成されるベース部材９５０を利用して流体層９４０を形成する。
【００９７】
前側ベース部材９５５の表面側には、シリンドリカルレンズ９５２がアレイ状に光学素子群として一体形成されている。また、後側ベース部材９５６の裏面側には、各々のシリンドリカルレンズ８５２に対応して円筒反射鏡面９５３と、円筒反射鏡面９５３の各々を接続する接続面９５４が、反射面群によって構成される光学素子群として形成されている。そして、ベース部材９５０は、図１１の平面部６５１に対応する平面部９５１と平行な平面で前側ベース部材９５５と後側ベース部材９５６に分割され、互いに対向して離間されて、流体層８４０が形成されている。
【００９８】
シリンドリカルレンズ９５２が形成されている前側ベース部材９５５と円筒反射鏡面９５３が形成されている後側ベース部材９５６は、離間された上で、スペーサ９４１により接着され一体化される。前側ベース部材９５５と後側ベース部材９５６との間隔は、ベース部材９５０で構成された集光レンズの入射光１０１に対する焦点を曲率の中心とした円筒反射鏡面９５３に、入射光１０１が垂直に入射するように定める。本実施例においては、ベース部材９５０を分割して、流体層９４０を形成したので、板ガラス９３０と、シリンドリカルレンズ９５２との間は空気が満たされる空気層９６０とする。このように構成された再帰反射部材９１０は、実施例５における再帰反射部材８１０と同様に、流体層９４０に流体を出入させて再帰反射状態と非再帰反射状態を切り替えることができる。
【００９９】
（実施例７）
図１８は、実施例７に係る再帰反射部材１０１０を、図５における平面Ｑと同様の平面で切断した場合の断面図である。本実施例においては、実施例４に係る再帰反射部材７１０をベースとするが、板ガラス１０３０と、第１ベース部材１０５０との間を空気層１０６０とし、第１ベース部材１０５０と第２ベース部材１０７０の間に流体を出入できる流体層１０４０を形成する点で実施例４と異なる。本実施例においては、流体層１０４０から流体を抜出したときに入射光１０１が円筒反射鏡面１０７１で結像するように、第１ベース部材１０５０と第２ベース部材１０７０との位置を定める。流体層１０４０から流体を抜出したときの実施例７に係る再帰反射部材１０１０の光学的関係は、流体層７４０から流体を抜出したときの実施例４に係る再帰反射部材７１０の光学的関係と同様であるので説明を省略する。
【０１００】
このように、焦点近傍を流体層とした場合には、集光による熱を流体に拡散させることができるので、熱の上昇が問題となる設置場所に対しては好ましい。この場合、流体層の流体をポンプ１６により循環させても良い。また、他の実施例に対しても、焦点面近傍に流体層を設けることにより、集光による熱を拡散させることができる。上述のように、流体層の流体を加味した上で焦点位置を設定すれば、流体層に流体を充填したときに再帰反射し、抜出したときに再帰反射させない構成とすることも、その逆の構成にすることもできる。
【０１０１】
なお、上述したいずれの実施例においても、流体層に流体を充填したときに再帰反射させずに拡散させる実施形態においては、流体層に充填する流体を着色してもよい。流体層に充填する流体を着色すると、流体が透明な場合と比較して、より反射率を下げることができる。一方、流体層に流体を充填したときに再帰反射させる場合には、流体は光透過性に優れたものを用いると良い。
【０１０２】
また、以上の実施形態においては、ビル２０に適用する壁材として、太陽光を再帰反射させる再帰反射部材を例に説明したが、適用事例は壁材に限らない。例えば、自動車、鉄道車両、船舶、航空機などの外装、ガスタンク、燃料タンクなどの外装にも再帰反射部材を利用することができる。例えば、自動車の屋根に再帰反射部材を取り付ける場合、たとえ特定の時間の太陽を想定しても太陽の方向は自動車の姿勢により変化するので、最も効果を発揮する再帰反射させる特定の方向として、屋根に垂直な方向を設定すると良い。このとき、それぞれ対応する集光シリンドリカルレンズと円筒反射鏡の光軸は、ベース部材の平面に対する法線と平行になる。
【０１０３】
また、以上の実施形態においては、取扱い性を考慮して、表面を板ガラスで覆い、裏面を平坦化層で埋める構成を採用した。しかし、このような形態に限らず、集光レンズアレイおよび円筒反射鏡面アレイが形成されたベース部材を２枚のガラスの間に配置、封入する構成であっても良い。このように構成すれば、再帰反射部材の一部の領域に透過性を持たせることができ、再帰反射部材を設置する設置面の装飾を視認させたり、設置面からの照明を実現することができる。また、鏡面自体に着色することでより装飾性を高めることもできる。さらには、シリンドリカルレンズのベースとなる透明樹脂部材に塗料を混ぜて着色することもできる。透過率は落ちるものの、装飾性をより高めることができる。
【０１０４】
また、以上の実施形態においては、再帰反射する面を、ベース部材に対して高反射塗料を塗布した鏡面とする構成を採用したが、再帰反射する面は、入射光を反射する構成であればよく、鏡面以外の構成を採用してもよい。
【０１０５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１０６】
１０  再帰反射部材、１２  配管、１４  配管、１６  ポンプ、１８  制御部、２０  ビル、２２  弁、１０１  入射光、１０２  反射光、１０３  入射光、１０４  照り返し光、１０５  入射光、１０６  反射光、１０７  入射光、１１０  実効方角、１１１  太陽行路、１１２  太陽行路、１１３  太陽光路、１３１  太陽、１３２  太陽、２１０  円筒面型再帰反射部材、２３０  板ガラス、２３１  支柱、２４０  流体層、２５０  ベース部材、２５１  平面部、２５２  シリンドリカルレンズ、２７０  平坦化層、２８０  封止材、３１０  球面型再帰反射部材、３３０  板ガラス、３３１  支柱、３４０  流体層、３５０  ベース部材、３５１  平面部、３５２  球面レンズ、３７０  平坦化層、３８０  封止材、４１０  再帰反射部材、４４０  流体層、４５０  ベース部材、４５１  平面部、４５２  シリンドリカルレンズ、４５３  円筒反射鏡面、４５４  接続面、４５７  焦点面、４５８  円筒面、４７０  平坦化層、５５３  円筒反射鏡面、５５７  焦点面、６１０  再帰反射部材、６４０  流体層、６５０  ベース部材、６５１  平面部、６５２  シリンドリカルレンズ、６５３  円筒反射鏡面、６５４  接続面、６５７  焦点面、７１０  再帰反射部材、７３０  板ガラス、７３１  支柱、７４０  流体層、７５０  第１ベース部材、７５１  平面部、７５２  第１シリンドリカルレンズ、７５３  第２シリンドリカルレンズ、７５９  平面部、７６０  空気層、７６１  スペーサ、７７０  第２ベース部材、７７１  円筒反射鏡面、７７２  接続面、７７３  平面部、７７７  焦点面、８１０  再帰反射部材、８３０  板ガラス、８４０  流体層、８４１  スペーサ、８５０  ベース部材、８５２  シリンドリカルレンズ、８５３  円筒反射鏡面、８５４  接続面、８５５  前側ベース部材、８５６  後側ベース部材、８５７  焦点面、８５８  円筒面、８６０  空気層、９１０  再帰反射部材、９３０  板ガラス、９４０  流体層、９４１  スペーサ、９５０  ベース部材、９５２  シリンドリカルレンズ、９５３  円筒反射鏡面、９５４  接続面、９５５  前側ベース部材、９５６  後側ベース部材、９６０  空気層、１０１０  再帰反射部材、１０３０  板ガラス、１０４０  流体層、１０５０  第１ベース部材、１０６０  空気層、１０７０  第２ベース部材、１０７１  円筒反射鏡面
【図１】
2012013801.tif 000003
【図２】
2012013801.tif 000004
【図３】
2012013801.tif 000005
【図４】
2012013801.tif 000006
【図５】
2012013801.tif 000007
【図６】
2012013801.tif 000008
【図７】
2012013801.tif 000009
【図８】
2012013801.tif 000010
【図９】
2012013801.tif 000011
【図１０】
2012013801.tif 000012
【図１１】
2012013801.tif 000013
【図１２】
2012013801.tif 000014
【図１３】
2012013801.tif 000015
【図１４】
2012013801.tif 000016
【図１５】
2012013801.tif 000017
【図１６】
2012013801.tif 000018
【図１７】
2012013801.tif 000019
【図１８】
2012013801.tif 000020